(57)【特許請求の範囲】
【請求項１】
床面に設置した床フレーム上に水回り設備を備えた衛生設備ユニットと、
前記床フレームを位置決め固定するためにその外側で前記床面に固定した固定治具と、
前記固定治具の外側に取り付けた巾木と、を備え、
前記固定冶具の外側面は前記衛生設備ユニットの外壁の外側面と面一または内側に設置され、前記衛生設備ユニットを動かさずに前記固定冶具を取り外し可能としたことを特徴とする衛生設備ユニットの固定構造。
【請求項２】
前記床フレームの底部には前記衛生設備ユニットを移動させる低摩擦材を取り付けた請求項１に記載された衛生設備ユニットの固定構造。
【請求項３】
床面に設置した床フレーム上に水回り設備を備えた衛生設備ユニットと、
前記床フレームを位置決め固定するためにその外側で前記床面に固定した固定治具と、
前記固定治具の外側に取り付けた巾木と、を備え、
前記衛生設備ユニットを動かさずに前記固定冶具を取り外し可能とし、前記床フレームの底部には前記衛生設備ユニットを移動させる低摩擦材を取り付けし、前記床フレームは複数のフレーム枠部材を連結して構成され、前記複数のフレーム枠部材にまたがって前記低摩擦材を取り付けたことを特徴とする衛生設備ユニットの固定構造。
【請求項４】
床面に設置した床フレーム上に水回り設備を備えた衛生設備ユニットと、
前記床フレームを位置決め固定するためにその外側で前記床面に固定した固定治具と、
前記固定治具の外側に取り付けた巾木と、を備え、
前記衛生設備ユニットを動かさずに前記固定冶具を取り外し可能とし、平面視における前記固定治具の幅は、前記床フレームの固定治具に当接する面と前記衛生設備ユニットの外壁との間隔と同一に設定されていることを特徴とする衛生設備ユニットの固定構造。
【請求項５】
前記固定治具は固定具を斜めに打ち込んで前記床面に固定した請求項１から４のいずれか１項に記載された衛生設備ユニットの固定構造。
【発明の詳細な説明】
【技術分野】
【０００１】
本発明は、例えば浴室やトイレ等の水回り設備を備えた衛生設備ユニットの固定構造に関する。
【背景技術】
【０００２】
従来、浴室を床面に設置する固定構造として、例えば特許文献１に記載されたものが提案されている。この浴室構造では、浴室の床パンを洗い場床部と浴槽側床部で２分割して床パンの運搬や搬入を容易にしている。
そして、浴室の床パンを組み立てる場合には、一方の床パンを躯体床に載せて、床パンの側壁の外側に設置された外周支持金具と床パンの下面に設置した床支持金具とを脚部として躯体床に設置する。外周支持金具と床支持金具における躯体床の周囲に囲い壁を設置して、囲い壁の内部にモルタルを充填することで外周支持金具と床支持金具を固定するようにしている。
【０００３】
また、特許文献２に記載された内装材は、床面に設置する家具の転倒を防止するものであり、家具を床材または内壁にＬ字型金具を設置してボルトまたは木ねじを用いて固定する。床材または内壁の表面には飾りダボを設けておき、飾りダボ穴を利用してボルト等によってＬ字型金具を床材と家具に固定する。そして、家具を他の場所に移動する場合には、Ｌ字型金具を外して飾りダボ穴にダボを埋め込むようにしている。
【先行技術文献】
【特許文献】
【０００４】
【特許文献１】特許第２９５３５４４号公報
【特許文献２】特開平１０−２６２７６２号公報
【発明の概要】
【発明が解決しようとする課題】
【０００５】
しかしながら、特許文献１記載の浴室構造では、脚部として床パンの外側部や下側に固定する外周支持金具や床支持金具は躯体床に囲い壁面とモルタル等で固定しているため、浴室を移動することは容易ではなかった。特に床パンの下側に設置した床支持金具は作業者の手が入りにくい上にモルタルで固定したため、固定時の作業性が悪く手間がかかる欠点がある。しかも、いったん設置すると改装やレイアウトの変更等のために浴室の位置を移動することは極めて困難であった。
【０００６】
また、特許文献２に記載された家具の固定構造においては、Ｌ字型金具で家具を固定しただけに過ぎないため、Ｌ字型金具を取り外して家具を移動することは比較的容易であるが強度が小さく、しかもＬ字型金具とボルト等が露出しているために外観上の見栄えが悪いという欠点があった。
【０００７】
本発明は、このような課題に鑑みてなされたものであって、衛生設備ユニットを固定する固定治具の固定と取り外しが容易ある上に外観上の見栄えをよくした衛生設備ユニットの固定構造を提供することを目的とする。
【課題を解決するための手段】
【０００８】
本発明による衛生設備ユニットの固定構造は、床面に設置した床フレーム上に水回り設備を備えた衛生設備ユニットと、床フレームを位置決め固定するためにその外側で床面に固定した固定治具と、固定治具の外側に取り付けた巾木と、を備え、前記固定冶具の外側面は前記衛生設備ユニットの外壁の外側面と面一または内側に設置され、前記衛生設備ユニットを動かさずに前記固定冶具を取り外し可能としたことを特徴とする。
本発明によれば、衛生設備ユニットの下部に設置した床フレームの外側で固定治具を床面に固定することで衛生設備ユニットを位置決め固定したため、固定治具の取り付けと取り外しの作業が容易である上に、固定治具を取り外して衛生設備ユニットを移動した後でも固定治具を再び取り付けできる。しかも、固定治具の外側に巾木を取り付けたために固定治具を隠すことができて外観上の見栄えがよい。
【０００９】
また、床フレームの底部には衛生設備ユニットを移動させる低摩擦材を取り付けることが好ましい。
床フレームの底部に低摩擦材を固定したため、固定治具を取り外した状態で床面に対する衛生設備ユニットの移動が容易である。
【００１０】
また、本発明による衛生設備ユニットの固定構造は、床面に設置した床フレーム上に水回り設備を備えた衛生設備ユニットと、前記床フレームを位置決め固定するためにその外側で前記床面に固定した固定治具と、前記固定治具の外側に取り付けた巾木と、を備え、前記衛生設備ユニットを動かさずに前記固定冶具を取り外し可能とし、前記床フレームの底部には前記衛生設備ユニットを移動させる低摩擦材を取り付けし、床フレームは複数のフレーム枠部材を連結して構成され、複数のフレーム枠部材にまたがって低摩擦材を取り付けたことを特徴とする。
床フレームは複数のフレーム枠部材を連結して構成した場合でも、複数のフレーム枠部材にまたがって低摩擦材を取り付けたため、衛生設備ユニットの移動時にフレーム枠部材同士の繋ぎ目が床面に引っかかることを防止してスムーズに移動できる。
【００１１】
また、本発明による衛生設備ユニットの固定構造は、床面に設置した床フレーム上に水回り設備を備えた衛生設備ユニットと、前記床フレームを位置決め固定するためにその外側で前記床面に固定した固定治具と、前記固定治具の外側に取り付けた巾木と、を備え、前記衛生設備ユニットを動かさずに前記固定冶具を取り外し可能とし、平面視における固定治具の幅は、床フレームの固定治具に当接する面と衛生設備ユニットの外壁との間隔と同一に設定されていることを特徴とする。
固定治具の幅を床フレームの外面と衛生設備ユニットの外壁との間隔と同一に設定したため、衛生設備ユニットの設置に先立って固定治具を床面の固定位置に配設することで衛生設備ユニットやその外壁の位置関係を設置前に認識することができる上に、他の設備との干渉の有無を予め確認できる。
【００１２】
また、固定治具は固定具を斜めに打ち込んで床面に固定してもよい。
固定治具は固定具を斜めに打ち込んで床面に固定することで床フレームを位置決め固定することができると共に、衛生設備ユニットの設置後に衛生設備ユニットを移動する場合にも固定具と固定治具の取り外しと移動後の取り付け作業を容易に行える。しかも、衛生設備ユニットに外壁が設置されていても固定具を斜めに打ち込むために固定具の打ち込みが容易である。
【００１３】
本発明による衛生設備ユニットの固定構造は、床面に設置した衛生設備ユニットと、天井面と衛生設備ユニットに取り付けた天井垂れ壁とを備え、天井垂れ壁は振動によって衛生設備ユニットから容易に分離する易分離部を備えたことを特徴とする。
本発明による衛生設備ユニットの固定構造によれば、床面に設置した衛生設備ユニットと天井面との間隙を天井垂れ壁を天井面に取り付けることによって仕切るようにしたため外観の見栄えがよく、しかも地震等が発生した場合には、床面の振動の伝達を受けた衛生設備ユニットが振動して天井垂れ壁と易分離部で分離されて縁切りするため、建築床面と建築天井が異なった動きをすること（層間変位）により衛生設備ユニット自体が破損したり、もしくは衛生設備ユニット設置場所付近の建築床面または建築天井が破損したりすることを防止できる。
【発明の効果】
【００１４】
本発明による衛生設備ユニットの固定構造によれば、衛生設備ユニットを備えた床フレームの外側で固定治具を床面に固定することで衛生設備ユニットを位置決め固定したため、固定強度が高い上に固定治具の取り付けと取り外しの作業が容易である。しかも、固定治具の外側に巾木を取り付けたため固定治具が外部に露出せず、外観上の見栄えがよい。
【図面の簡単な説明】
【００１５】
【図１】本発明の実施形態による衛生設備ユニットの斜視図である。
【図２】図１に示す衛生設備ユニットの内部構成を示す水平断面図である。
【図３】実施形態による衛生設備ユニットのフレームの組み立て工程を示すものであり、（ａ）は床フレームを床面に設置した斜視図、（ｂ）はインフラタワーフレームを組み上げた斜視図である。
【図４】図３に続いて衛生設備ユニットの壁フレームを設置した斜視図である。
【図５】衛生設備ユニットの床フレームに固定治具とビスと巾木を取り付けた状態を示す断面図である。
【図６】図５に示す床フレームの固定治具からビスと巾木を分離した図である。
【図７】床フレームの底部全面に低摩擦材を取り付けた構成を示すである。
【図８】床フレームの底部に低摩擦材を取り付けた構成の変形例を示すものであり、（ａ）は外枠に低摩擦材を固定した状態の図、（ｂ）は外枠の角部を中心に低摩擦材を固定した状態の図、（ｃ）は外枠と複数のフレーム部材の連結部に低摩擦材を固定した状態の図である。
【図９】床フレームの底部に低摩擦材を取り付けた構成の他の変形例を示す図である。
【図１０】（ａ）は建築天井と衛生設備ユニットの上部に天井垂れ壁を取り付けた構成を示す図、（ｂ）は連結材の図である。
【図１１】図１０に示す天井垂れ壁の取り付け構成の変形例を示す図である。
【図１２】床フレームの外面に固定治具を取り付けた構成の変形例を示す要部断面図であり、（ａ）は第一変形例を示す図、（ｂ）は床フレームの第一変形例を示す図である。
【図１３】（ａ）は固定治具を取り付けた構成の第二変形例を示す図、（ｂ）は床フレームの第二変形例を示す図である。
【図１４】（ａ）は固定治具を取り付けた構成の第三変形例を示す図、（ｂ）は第四変形例を示す図である。
【図１５】床フレームの外面に固定治具を取り付けた構成の第五変形例を示す要部断面図である。
【図１６】床フレームとインフラタワーフレームの組み立て構成の変形例を示す要部断面図である。
【図１７】床フレームとインフラタワーフレームの組み立て構成の他の変形例を示す図である。
【図１８】衛生設備ユニットの水回り設備の配置構成の別の事例を示す水平断面図である。
【発明を実施するための形態】
【００１６】
以下、本発明の実施形態による衛生設備ユニット１の固定構造を図１乃至図１１に基づいて説明する。
図１及び図２は本発明の実施形態による衛生設備ユニット１を示すものであり、後述する床フレーム１３とインフラタワーフレーム１４と壁フレーム１５で構築された骨組みをなす枠フレーム１２に、床面パネル２と外壁３及び内壁４を取り付けて構成されている。衛生設備ユニット１は床面パネル２と外壁３及び内壁４と天井パネル５で仕切られた室内にシャワーユニット６を備え、インフラタワーフレーム１４の内壁４には壁掛けの便器８を取り付けている。また、外壁３の外面側にはコンロとシンクを備えたキッチンユニット９が設置されている。
なお、シャワーユニット６は防水仕様となっているが、衛生設備ユニット１のシャワーユニット６を除いた、内壁４で囲まれた空間７はトイレ室兼脱衣室となっており、この空間７は必ずしも防水仕様でなくてもよい。また、シャワーユニット６に代えて浴槽を備えたユニットバスを用いることもできる。
また、本発明において、衛生設備ユニット１とは、周囲を外壁３やドアで仕切られた内部空間にシャワーユニット６等の水回り設備を１以上設置したものをいう。また、他の水回り設備として、浴槽を備えたユニットバスやトイレの便器８やキッチンユニット９、或いは洗面台等を内部空間または外壁３に適宜設置していてもよい。
【００１７】
衛生設備ユニット１は例えば金属製の中空棒状の枠体を組み合わせることによって骨組みが形成されている。図３及び図４に示すように、衛生設備ユニット１の骨組みを形成する鐵骨製の枠フレーム１２は、床面である建築床面ＦＬに設置された高さの小さい略箱状の床フレーム１３と床フレーム１３の一部から上方に形成されたインフラタワーフレーム１４と壁フレーム１５を有している。インフラタワーフレーム１４は下部から上部に向けて略垂直に起立している。本実施形態では、床フレーム１３は例えば３組のフレーム枠部材１３Ａ、１３Ｂ、１３Ｃとインフラタワーフレーム１４とを互いに連結した構成を有している。また、床フレーム１３は４組のフレーム枠部材に限定されるものではなく、１または適宜数のフレーム枠部材を組み合わせて構成することができる。
なお、本明細書において、衛生設備ユニット１を設置する室内空間の床面を建築床面ＦＬとし、天井面を建築天井ＣＬというものとする。
【００１８】
インフラタワーフレーム１４は、図２に示す排水管や水道管等を含む配管１１を上下方向に挿通する配管収納部１４ａを有し、その周囲は鐵骨製のフレーム材によって囲われている。そのため、インフラタワーフレーム１４は、図３（ｂ）に示すように上下方向に延びている。
また、枠フレーム１２は図４に示すようにインフラタワーフレーム１４の周囲の床フレーム１３上においても上方に向けて壁フレーム１５が略箱状に組み立てられている。そして、出来上がった枠フレーム１２の骨組みに対して床面パネル２、天井パネル５、更に壁パネル１６を張りつけることで外壁３及び内壁４を備えた図１及び図２に示す衛生設備ユニット１を形成する。その内部にシャワーユニット６を設置し、外部にキッチンユニット９等を設置している。なお、便器８はインフラタワーフレーム１４の側面に固定した内壁４に取り付けられている。
【００１９】
次に、床フレーム１３を位置決め固定する固定治具２０の取り付け構造について図５及び図６に基づいて説明する。床フレーム１３の外側面１３ａには断面略Ｌ字状のＬアングル１９の一方の片である側部１９ａが溶接等で固定されており、Ｌアングル１９の他方の片である上板部１９ｂの上には外壁３が設置されている。
なお、Ｌアングル１９は床フレーム１３の一部を構成するものとする。また、Ｌアングル１９は設けなくてもよい。
【００２０】
そして、Ｌアングル１９の外側には断面四角形状をなす棒状の固定治具２０が設置され、固定治具２０にはその外側面２０ａから斜め下に固定具として例えばビス２１が建築床面ＦＬにねじ込まれて固定されている。固定治具２０は例えばスチール等の金属製等であり、そのため、図６に示すように固定治具２０にビス２１をねじ込むための下穴を形成するものとする。
固定具としてはビス２１に限定されることなく、例えば釘、接着剤、ゲル(ウレタン)、固定治具２０の下に敷いた高摩擦材等を適宜採用できる。しかも、これらはビス２１に代えて用いてもよいし、或いは釘を除いてビス２１と併用して固定に用いてもよい。
【００２１】
また、固定治具２０をビス２１等で固定した状態で、Ｌアングル１９の上板部１９ｂ上に下面を当接させて外壁３が枠フレーム１２に桟木２２を介して固定されている。更に、固定治具２０の外側面２０ａには固定治具２０が外側から見えないように巾木２３を設置している。巾木２３は固定治具２０の外側面２０ａに当接させて取り付けた状態で、外壁３の内側に位置してもよいし、外壁３の外側に突出してもよい。
なお、巾木２３は接着剤やねじ等で固定治具２０の外側面２０ａに取り外し可能に固定することができる。
また、本実施形態では外壁３は枠フレーム１２に桟木２２を介して固定されているが、
桟木２２を用いずに外壁３を枠フレーム１２に直接固定してもよい。
【００２２】
そして、衛生設備ユニット１を建築床面ＦＬ上で移動させて位置や向きを変えたい場合には、図６に示すように、巾木２３を固定治具２０の外側面２０ａから取り外し、更にビス２１を下穴から取り外して固定治具２０を取り外せばよい。その場合、衛生設備ユニット１が配管１１を中心に或いは配管１１回りに移動可能なように、床フレーム１３の底部に薄板状の低摩擦材２５が固定されている。衛生設備ユニット１は床フレーム１３の底部に固定した低摩擦材２５が建築床面ＦＬを滑ることで移動可能である。
【００２３】
次に低摩擦材２５について図７及び図８に基づいて説明する。
図７は床フレーム１３の底部にねじや接着剤等で取り付けた例えば帯状の低摩擦材２５を示しており、低摩擦材２５は床フレーム１３の全てのフレームに固定されている。低摩擦材２５は例えばフッ素樹脂、ポリオレフィン、ポリアセタール、ポリアミド等を平滑な面状のシートに加工したもの、または、これらの材料をシート材にコーティングしたもの、または、これらの材料を摺動面の面積が小さくなるような形状（たとえば、網目状のシート形状で網目の格子の断面が山形になっている等）に加工したものを用いるものとする。低摩擦材２５は少なくとも床フレーム１３の底部よりも建築床面ＦＬとの間の摩擦係数が小さいものである。
また、床フレーム１３の底部に固定する低摩擦材２５の他の取り付け例として、図８に示す態様を採用することができる。例えば図８（ａ）に示す低摩擦材２５では床フレーム１３の底部の全ての外周側の枠部分にのみ固定した。また、図８（ｂ）に示す低摩擦材２５は、床フレーム１３の外側に突出する各角部に固定し、更に長い直線部にも固定した。衛生設備ユニット１の移動をスムーズにするには床フレーム１３の底部の全ての突出する角部に低摩擦材２５を固定することが好ましい。
【００２４】
図８（ｃ）に示す低摩擦材２５は、床フレーム１３が複数(図に示す例では４つ)のフレーム枠部材１３Ａ、１３Ｂ、１３Ｃとインフラタワーフレーム１４を互いに当接して連結した構成であることに鑑み、全ての外周側の枠部分に低摩擦材２５を固定したことに加えて、異なるフレーム枠部材１３Ａ，１３Ｂの連結部２６、フレーム枠部材１３Ｂ、１３Ｃの連結部２７の部分に低摩擦材２５を固定した。なお、連結部２６，２７の各低摩擦材２５は平行に設置されている。
この構成によれば、衛生設備ユニット１の移動時に、床フレーム１３の異なるフレーム枠部材１３Ａ，１３Ｂ、１３Ｃ同士の繋ぎ目である連結部２６，２７においても建築床面ＦＬに引っかかることなくスムーズに移動可能である。
【００２５】
また、他の低摩擦材２５の設置構造として、図９に示すように、床フレーム１３の底部に例えば上述した図７及び図８（ａ）、（ｂ）、（ｃ）に示すいずれかの低摩擦材２５の構成を備えた第一の低摩擦材２５Ａを固定し、建築床面ＦＬにも例えば平板状の第二の低摩擦材２５Ｂを設置したものである。本実施形態では第一の低摩擦材２５Ａと第二の低摩擦材２５Ｂは同一の低摩擦材２５を用いているが、異なっていてもよい。
この構成によれば、衛生設備ユニット１は床フレーム１３の底部に設けた第一の低摩擦材２５Ａが建築床面ＦＬに固定した平板状の第二の低摩擦材２５Ｂ上を摺動するため、一層スムーズに建築床面ＦＬ上を移動可能である。
【００２６】
また、本実施形態による衛生設備ユニット１を建築床面ＦＬに設置した場合、建築天井ＣＬとの間に天井垂れ壁３０を設置するものとする。
図１０（ａ）はその一例を示すものであり、建築床面ＦＬに衛生設備ユニット１が設置され、衛生設備ユニット１の壁フレーム１５の外側に外壁３が設置されている。外壁３の上部には建築天井ＣＬとして例えば天井スラブ３１が設置されている。そして、衛生設備ユニット１の外壁３と天井スラブ３１との間隙を仕切るように天井垂れ壁３０が設置されている。天井垂れ壁３０の上端には下地材３２がねじまたは釘等で固定され、この下地材３２はアンカー３３によって天井スラブ３１に固定されている。
【００２７】
一方、天井垂れ壁３０の下端部には固定材３４が釘やねじ等で固定され、固定材３４と壁フレーム１５とは帯状の連結材３５によって連結されている。図１０（ｂ）に示すように、この連結材３５は例えば薄い金属板、樹脂等で形成され、その途中部分には分離し易いように切欠３５ａが入っている。或いは、部分的に厚みが一層薄かったりミシン目等の穴が穿孔されたりしていて分断し易くなっていてもよい。これらは易分離部を構成する。
そのため、地震等が発生した際、建築床面ＦＬから衛生設備ユニット１に振動が伝達されることで、連結材３５が切欠３５ａで容易に分断され、天井スラブ３１とは縁切りされる。これによって地震時の振動を衛生設備ユニット１によって逃がして減衰できる。
なお、易分離部として、切欠３５ａや厚みの薄い部分、穴穿孔部等に限定されることなく、衛生設備ユニット１と天井垂れ壁３０とを地震時に容易に分離・分断できるものであれば適宜の構成を採用できる。例えば、連結材３５と壁フレーム１５をマグネットで連結していてもよい、或いは連結材３５を壁フレーム１５に固定するねじを短いものにして容易に外れるようにしてもよい。
【００２８】
また、図１１は建築天井ＣＬと天井垂れ壁３０との他の取り付け例を示すものである。
図１１において、天井スラブ３１に下地材３２をアンカー３３で固定し、下地材３２の下側に仕上げ天井３７を取り付けたものである。そのため、天井垂れ壁３０は他の下地材３８を介して仕上げ天井３７と下地材３２にくぎ等で固定している。
この場合でも、図１０の場合と同様に、天井垂れ壁３０はその下部に固定材３４を固定し、連結材３５を介して壁フレーム１５に連結されている。
【００２９】
本実施形態による衛生設備ユニット１は上述した構成を備えており、次に衛生設備ユニット１の建築床面ＦＬへの設置方法の一例を説明する。
まず、衛生設備ユニット１の床フレーム１３の設置位置の輪郭に合わせて固定治具２０をテンプレートとして建築床面ＦＬ上に設置する。この場合、固定治具２０の幅を床フレーム１３と外壁３の間隔に一致させれば外壁３の壁パネル１６の位置を把握でき、他の設備との干渉の有無を予め認識できる。
【００３０】
次に、床フレーム１３の底部に予め低摩擦材２５を固定し、固定治具２０の内側に図３（ａ）に示すように床フレーム１３とインフラタワーフレーム１４を設置する。また、図５に示すように、床フレーム１３におけるＬアングル１９の側部１９ａに固定治具２０を当接させ、固定治具２０の外側面２０ａから下穴を通してビス２１を斜め下にねじ込む。ビス２１は下穴を通して建築床面ＦＬ内にねじ込まれて固定治具２０を固定する。
なお、固定治具２０とＬアングル１９の側部１９ａの間にはスペーサを挿入してもよい。
【００３１】
次いで、図３（ｂ）に示すように配管収納部１４ａとしてのインフラタワーフレーム１４を組み立てる。そして、床フレーム１３上に壁フレーム１５を組み立てて図４に示す枠フレーム１２を構築し、衛生設備ユニット１の骨組みを形成する。なお、固定治具２０の固定は枠フレーム１２の構築後でもよい。
そして、天井垂れ壁３０の下部の固定材３４と衛生設備ユニット１の壁フレーム１５とに連結材３５を固定する。次いで、床フレーム１３上に床面パネル２、シャワーユニット６、内壁４、外壁３、天井パネル５等を取り付ける。外壁３は下端をＬアングル１９の上板部１９ｂの上に設置して桟木２２を介して壁フレーム１５に固定する。その後、巾木２３を固定治具２０の外側面２０ａに当接してねじや接着剤等で固定する。このとき、巾木２３は外壁３の内側に位置する。そして、衛生設備ユニット１の外壁３にキッチンユニット９を設置する。最後に建築天井ＣＬに天井垂れ壁３０を取り付ける。
上述した衛生設備ユニット１の設置手順の説明は単なる一例であり、設置手順は支障のない限り適宜入れ替えることができる。
【００３２】
次に建築床面ＦＬに固定した衛生設備ユニット１の設置位置を移動する際の移動手順について説明する。
最初に、衛生設備ユニット１における天井垂れ壁３０を取り外す。また、建築側(床スラブや天井スラブ)と衛生設備ユニット１との間の配管や配線やダクトの連結を取り外す。そして、床フレーム１３に設けた巾木２３を剥がし、固定治具２０のビス２１を抜いて固定治具２０を床フレーム１３の固定位置から取り外す。
そして、衛生設備ユニット１を手押しまたは牽引によって移動すると、床フレーム１３の底部に固定した低摩擦材２５によって建築床面ＦＬ上を摺動して移動する。
【００３３】
次いで、室内における移動先の場所で床フレーム１３のＬアングル１９の側部１９ａの外側に固定治具２０を押し当ててビス２１を斜め下に捻じ込み、巾木２３を固定治具２０の外側面２０ａに固定して固定治具２０やビス２１を隠し、衛生設備ユニット１を再び建築床面ＦＬに固定する。そして、衛生設備ユニット１のインフラタワーフレーム１４の配管収納部１４ａに収納した配管１１を建築側の配管と延長配管や配線、ダクトを介して連結する。その後、天井垂れ壁３０を建築天井ＣＬと壁フレーム１５に取り付けて、図示しない天井カバーによって延長配管等を隠蔽する。
こうして衛生設備ユニット１を他の場所に移動させることができる。
【００３４】
上述のように本実施形態による衛生設備ユニット１によれば、衛生設備ユニット１の床フレーム１３の外側に固定治具２０を当接させて斜め下向きにビス２１を捻じ込んで建築床面ＦＬに固定できるため、外側からアクセスして固定作業を行える。また、固定治具２０の外側面２０ａに巾木２３を押し当てて固定できるため、固定治具２０やビス２１等の固定具を隠すことができて外観の見栄えがよい。
また、固定治具２０を通して外側から斜め下向きにビス２１を建築床面ＦＬに捻じ込んで固定したため、外壁３を取り付けた後でも、固定治具２０とビス２１と巾木２３の取り外しと移動後の再度の固定を外側から容易に行える。
しかも、床フレーム１３の底部に低摩擦材２５を固定しているため、衛生設備ユニット１の外側から巾木２３やビス２１や固定治具２０を取り外して、衛生設備ユニット１の移動がスムーズで固定位置の変更が容易である。
【００３５】
しかも、平面視で固定治具２０の幅を床フレーム１３の外面と外壁３との間隔に一致させると、固定治具２０をテンプレートとして建築床面ＦＬに仮置きして罫書きすることで、外壁３の固定位置を取り付け前に把握できると共に他の設備との干渉の有無を予め確認できる。
また、建築天井ＣＬと衛生設備ユニット１の上端の壁フレーム１５との間に天井垂れ壁３０を設置したため外観の意匠を良好に保持できる。しかも、天井垂れ壁３０と壁フレーム１５との間に易分離部としての切欠３５ａを有する連結材３５を取り付けたため、地震発生時等に切欠３５ａで連結材３５を分離して建築天井ＣＬと衛生設備ユニット１とを縁切りできるので、建築床面ＦＬと建築天井ＣＬが異なった動きをすること（層間変位）により衛生設備ユニット１自体が破損したり、もしくは衛生設備ユニット１の設置場所付近の建築床面ＦＬまたは建築天井ＣＬが破損したりすることを防止できる。
【００３６】
なお、本発明による衛生設備ユニット１の固定構造は、上述した実施形態に限定されるものではなく、本発明の要旨を逸脱しない範囲で適宜の変更や置換等が可能である。以下に、本発明の変形例について説明するが、上述した実施形態で説明した部品や部材等と同一または同様なものについては同一の符号を用いて説明を省略する。
【００３７】
図１２〜図１４は本発明の実施形態による固定治具２０とその固定具であるビス２１と巾木２３の取り付け構造の変形例を示すものである。
図１２（ａ）に示す衛生設備ユニット１において、床フレーム１３のＬアングル１９に当接して設けた第一変形例による固定治具４０は、外側の側面に開口部４０ａを備えた角パイプ形状の鋼材で構成され、その床フレーム１３側の内部下角部には断面三角形の治具４１が設置されている。この治具４１に設けた下穴を通してビス２１を斜め下に捻じ込み建築床面ＦＬに固定することができる。
また、図１２（ｂ）は床フレーム１３の変形例を示すものであり、床フレーム１３の外側面１３ａにはＬアングル１９に代えて垂直と水平の板材４３ａ、４３ｂを溶接等で固定している。これらの板材４３ａ、４３ｂに固定治具２０を当接させてビス２１で建築床面ＦＬに固定することができる。この場合、板材４３ｂに外壁３が当接していなくてもよい。
【００３８】
また、図１３（ａ）において、第二変形例による固定治具４５は、上下方向に下穴が形成され、下穴を通して上から下方にビス２１を垂直に捻じ込むことで建築床面ＦＬに固定している。本変形例による固定治具４５では、上部にＬアングル１９が設置されているが、予め固定治具２０の下穴にビス２１を挿入してＬ字ドライバー等でビス２１の締め込みと取り外しを行うことができる。
また、図１３（ｂ）においても同様な固定治具４５とビス２１の構成を備えており、床フレーム１３の外側にＬアングル１９に代えて垂直と水平の板材４３ａ、４３ｂを溶接等で固定している。これらの板材４３ａ、４３ｂに固定治具４５を当接させてＬ字ドライバーなどでビス２１を建築床面ＦＬに垂直に捻じ込みと取り外しができる。
なお、上述した実施形態や図１２（ａ）〜図１３（ｂ）に示す固定治具の変形例において、巾木２３と外壁３とが当接しているが、隙間を形成してもよく、この場合には外壁３や巾木２３の撓みや寸法誤差や取り付け誤差等があっても吸収して隙間内に納めることができる。
【００３９】
また、図１４（ａ）において、比較例による固定治具４７は、その幅が床フレーム１３の外側面から外壁３までの距離よりも大きく設定されている。固定治具４７の外側面４７ａは外壁３の外側に突出して形成され、外側面４７ａから斜め下方に形成された下穴を通してビス２１が建築床面ＦＬに捻じ込まれている。また、固定治具４７の外側面４７ａに当接する巾木４８は上側の頭部４８ａが拡幅された段付き形状に形成され、拡幅の頭部４８ａは外壁３に当接し、下部４８ｂは固定治具４７の外側面４７ａに当接してねじや接着剤等で固定されている。
本変形例では、巾木４８が外壁３の外側に突出して取り付けられており、巾木４８を取り除いた状態で固定治具４７を通したビス２１の打設と取り外しが一層容易である。或いは、固定治具４７の幅を小さくして、床フレーム１３側にスペーサを介在させて同等な幅に形成してもよい。
【００４０】
また、図１４（ｂ）において、第三変形例による固定治具５０は例えば木材からなっており、その幅が床フレーム１３の外側面から外壁３の外側面までの距離と同一になるように設定されている。固定治具５０の外側面５０ａは外壁３の外側面と面一に形成され、外側面５０ａから斜め下方に形成された下穴を通してビス２１が建築床面ＦＬに捻じ込まれている。また、固定治具５０の外側面５０ａに当接する巾木５１はその内側面が外壁３の外側面と固定治具５０の外側面５０ａとに当接して固定されている。
本変形例においても、巾木５１が外壁３の外側に突出して取り付けられている。
【００４１】
次に図１５は第四変形例による固定治具５２を示すものであり、この固定治具５２は断面略Ｕ字状に形成されており、建築床面ＦＬに当接する底部５２ａにビス２１が略垂直にねじ込まれて建築床面ＦＬに固定され、内側の起立面５２ｂはＬアングル１９を除去した床フレーム１３の外側面１３ａに当接し、外側の起立面５２ｃには外壁３と共に巾木２３が当接して、ねじや接着剤等で固定されている。
本実施形態においても、設置した衛生設備ユニット１を移動する際にはＬ字ドライバー等で巾木２３とビス２１と固定治具５２を取り外し、衛生設備ユニット１を移動した後で再びビス２１で固定治具５２を固定し巾木２３を固定できる。
【００４２】
次に、図１６と図１７は枠フレーム１２における床フレーム１３とインフラタワーフレーム１４の変形例を示すものである。
図１６に示す変形例は床フレーム１３とインフラタワーフレーム１４の連結構成を示すものであり、床フレーム１３との側面５３とインフラタワーフレーム１４の側面５４との接続部は締結ボルト５５を挿通してナット５６と締結されて固定されている。
この場合、建築床面ＦＬに不陸やうねり等が生じている場合には、床フレーム１３またはインフラタワーフレーム１４の一部が建築床面ＦＬから浮いたりガタが生じたりすることがある。このような不具合を改善するために、各側面５３、５４の間に厚みの異なるスペーサ５７ａ、５７ｂを介在させて床フレーム１３とインフラタワーフレーム１４がそれぞれ建築床面ＦＬに平行に当接するように角度調整し、締結ボルト５５とナット５６を締め込むことができる。或いは、１つのスペーサ５７ａを介在させることで床フレーム１３とインフラタワーフレーム１４がそれぞれ建築床面ＦＬに平行に当接するように角度を調整して締結ボルト５５とナット５６を締め込んでもよい。
【００４３】
また、インフラタワーフレーム１４を壁フレーム１５を設置する時の垂直方向の基準とする場合に、インフラタワーフレーム１４において、建築床面ＦＬに不陸やうねり等があったりインフラタワーフレーム１４に組立誤差や製造誤差があると、インフラタワーフレーム１４が高さ方向に傾斜してしまい、垂直方向の基準としての機能を果たさなくなり、壁フレーム１５との取り合いにも支障をきたす恐れがある。
このような場合には、図１６に示すように、インフラタワーフレーム１４を高さ方向に複数のブロック１４Ａ、１４Ｂ等に分割して高さ方向の傾斜を調整してインフラタワーフレーム１４が総じて垂直になるよう調整する。
【００４４】
そのため、インフラタワーフレーム１４の高さ方向に隣接するブロック１４Ａ、１４Ｂ間の仕切面５９、６０の間に調整手段として厚みの異なるスペーサ５７ａ、５７ｂを介在させて上側のブロック１４Ｂの姿勢を調整して締結ボルト５５とナット５６を締め込む。このように複数に分割した各ブロック１４Ａ，１４Ｂ、……間で上下方向の角度や姿勢を調整することで、インフラタワーフレーム１４が総じて垂直になり、壁フレーム１５との取り合いにも支障が生じなくて済む。
【００４５】
図１７は図１６に示すものと異なる調整手段を備えたものであり、床フレーム１３またはインフラタワーフレーム１４の一部が建築床面ＦＬから浮いたりガタが生じたりする場合、床フレーム１３とインフラタワーフレーム１４の連結部において、一方の側面５４とこの側面５４に溶接等によって強固に固定したナット５６ａとを貫通する調整ボルト６２の先端を他方の側面５３に押し付けて角度調整を行った状態で、他の締結ボルト５５を側面５３，５４に挿通してナット５６で締め込むことで固定できる。
同様に、インフラタワーフレーム１４が高さ方向に傾斜してしまう場合でも、インフラタワーフレーム１４のブロック１４Ａと隣接する他のブロック１４Ｂの連結部において、一方の仕切面６０とこの仕切面６０に溶接等によって強固に固定したナット５６ｂとを貫通する調整ボルト６２の先端を他方の仕切面５９に押し付けて調整を行った状態で、他の締結ボルト５５を仕切面５９，６０に挿通してナット５６で締め込むことで固定できる。
【００４６】
また、上述した各変形例において、床フレーム１３を複数のブロックに分割して各ブロック毎の角度をスペーサ５７ａ、５７ｂや調整ボルト６２でそれぞれ調整して締結ボルト５５とナット５６を締め込み固定してもよい。これによって床フレーム１３の各ブロックは建築床面ＦＬに当接するようそれぞれの角度を調整することができる。
【００４７】
また、上述した衛生設備ユニット１は床面パネル２と外壁３及び内壁４と天井パネル５で仕切られた室内にシャワーユニット６を備え、シャワーユニット６内に便器８を取り付けた構成のものについて説明したが、本発明はこのような構成に限定されるものではない。衛生設備ユニット１のシャワーユニット６、便器８、キッチンユニット９等の水回り設備は適宜の配置に設置できる。
例えば、図１８に示すように、外壁３及び内壁４で仕切られたユニットバス６５として浴槽６５ａと床面パネル２と天井パネル５のみを設置し、外壁３の外部に壁掛け用の便器８、キッチンユニット９、洗面台６４等を設置することで衛生設備ユニット１を構成してもよい。図１８に示す配置においてもユニットバス６５に代えてシャワーユニット６を設置してもよい。本発明による衛生設備ユニット１は、少なくとも１つのシャワーユニット６、ユニットバス６５または浴室等の水回り設備を備えていればよい。
【００４８】
さらには、インフラタワーフレーム１４の中に排水ポンプ等を設けていわゆる圧送排水仕様にすると、建築側の排水縦管からの距離等による衛生設備ユニット１の設置場所の制約が無くなり、さらには、ポンプより下流側の配径を小さくできるので排水管の取り回しの自由度が高くなるとともに、ワンタッチ式の配管継手等を用いれば建築側との排水管の接続・取り外しが容易になるため、衛生設備ユニット１の移動をよりスムーズに行うことが可能となる。
また、配管１１は室内空間を形成する建築床面ＦＬと建築天井ＣＬとを貫通して上下階に延ばしてもよい。
【符号の説明】
【００４９】
１  衛生設備ユニット
３  外壁
６  シャワーユニット
１１  配管
１２  枠フレーム
１３  床フレーム
１４  インフラタワーフレーム
１５  壁フレーム
１９  Ｌアングル
２０，４０，４５，４７，５０，５２  固定治具
２１  ビス
２３，４８，５１  巾木
２５  低摩擦材
３０  天井垂れ壁
３５  連結材
３５ａ  切欠
６５  ユニットバス
ＦＬ  建築床面(床面)
ＣＬ  建築天井(天井)
【図１】
0006441728.tif 000002
【図２】
0006441728.tif 000003
【図３】
0006441728.tif 000004
【図４】
0006441728.tif 000005
【図５】
0006441728.tif 000006
【図６】
0006441728.tif 000007
【図７】
0006441728.tif 000008
【図８】
0006441728.tif 000009
【図９】
0006441728.tif 000010
【図１０】
0006441728.tif 000011
【図１１】
0006441728.tif 000012
【図１２】
0006441728.tif 000013
【図１３】
0006441728.tif 000014
【図１４】
0006441728.tif 000015
【図１５】
0006441728.tif 000016
【図１６】
0006441728.tif 000017
【図１７】
0006441728.tif 000018
【図１８】
0006441728.tif 000019